(57)【要約】【目的】  セル中心が精度よく特定でき且つ付加情報を挿入できるような同期信号パターンが挿入され、記録された情報を正確に再生することができる情報記録媒体を提供する。【構成】  光情報記録媒体上の仮想的に等間隔に分割されたセルに、多値データに応じて検出信号レベルが異なる記録マークが形成されており、多値データを復調する際に用いる同期信号を抽出するための同期信号パターン２１がデータ領域中に周期的に挿入されており、同期信号パターン２１は、セルの中心を特定できる再生信号波形を得られるように振幅変調により符号化されている。【選択図】        図３
2005302260.tif 000002
【特許請求の範囲】
【請求項１】
仮想的に等間隔に分割された領域に、多値データに応じて検出信号レベルが異なる記録マークが形成された情報記録媒体において、多値データを復調する際に用いる同期信号を抽出するための同期信号パターンがデータ領域中に周期的に挿入されており、前記同期信号パターンは、前記仮想的に等間隔に分割された領域の中心を特定できる再生信号波形を得られ、且つ振幅変調により符号化されていることを特徴とする情報記録媒体。
【請求項２】
請求項１記載の情報記録媒体において、前記同期信号パターンが、再生信号におけるピークまたはボトムを１つだけ特定できるようなパターンであることを特徴とする情報記録媒体。
【請求項３】
請求項２記載の情報記録媒体において、前記同期信号パターンを振幅変調する際、再生信号におけるピークまたはボトム位置における信号レベルを変化させることにより、複数種類の同期信号パターンを構成することを特徴とする情報記録媒体。
【請求項４】
請求項２記載の情報記録媒体において、前記同期信号パターンを振幅変調する際、再生信号におけるピークまたはボトム位置以外における信号レベルを変化させることにより、複数種類の同期信号パターンを構成することを特徴とする情報記録媒体。
【請求項５】
請求項２乃至４のいずれか一項に記載の情報記録媒体に記録された同期信号パターンより得られる再生信号から、ピークまたはボトム検出をする位置検出信号を生成する工程と、該工程によって生成された位置検出信号に基づいて多値データをサンプリングするための同期信号を生成する工程とからなることを特徴とする同期信号生成方法。
【請求項６】
請求項１記載の情報記録媒体において、前記同期信号パターンは、再生信号における信号レベルが所定レベルよりも高い記録マークの少なくとも２個以上の連続と、信号レベルが所定レベルよりも低い記録マークの少なくとも２個以上の連続とを含んでいることを特徴とする情報記録媒体。
【請求項７】
請求項６記載の情報記録媒体において、前記再生信号における信号レベルが所定レベルよりも高い記録マークと前記信号レベルが所定レベルよりも低い記録マークは、或る特定の基準レベルに対して対称となる２つの信号レベルが得られる記録マークであることを特徴とする情報記録媒体。
【請求項８】
請求項７記載の情報記録媒体において、前記基準レベルは、多値レベルとして取りうる最大値と最小値の中心レベルであることを特徴とする情報記録媒体。
【請求項９】
請求項６記載の情報記録媒体に記録された同期信号パターンを読み取り、該同期信号パターンに基づいて同期信号を生成することを特徴とする同期信号生成方法。
【請求項１０】
請求項７又は８記載の情報記録媒体に記録された同期信号パターンより得られる再生信号から、前記基準レベルを横切るタイミングを検出する位置検出信号を生成する工程と、該工程によって生成された位置検出信号に基づいて多値データをサンプリングするための同期信号を生成する工程とからなることを特徴とする同期信号生成方法。
【請求項１１】
請求項５，９，１０のいずれか一項に記載の同期信号生成方法によって生成された同期信号に基づいて前記情報記録媒体に記録された情報を復調して再生することを特徴とする情報再生方法。
【請求項１２】
請求項５，９，１０のいずれか一項に記載の同期信号生成方法によって生成された同期信号に基づいて前記情報記録媒体に記録された情報を復調して再生するようにしたことを特徴とする情報再生装置。
【請求項１３】
情報記録媒体上に仮想的に等間隔に分割された領域の中心を特定できる再生信号波形を得られ、且つ振幅変調により符号化されており、多値データを復調する際に用いる同期信号を抽出するための同期信号パターンをデータ領域中に周期的に挿入して前記情報記録媒体に記録することを特徴とする情報記録方法。
【請求項１４】
情報記録媒体上に仮想的に等間隔に分割された領域の中心を特定できる再生信号波形を得られ、且つ振幅変調により符号化されており、多値データを復調する際に用いる同期信号を抽出するための同期信号パターンをデータ領域中に周期的に挿入して前記情報記録媒体に記録するようにしたことを特徴とする情報記録装置。
【請求項１５】
多値データを復調する際に用いる同期信号を抽出するための同期信号パターンを振幅変調により符号化して付加情報を格納し、前記同期信号パターンをデータ領域中に周期的に挿入している情報記録媒体を再生する情報再生方法において、
前記付加情報はアドレス情報であり、前記アドレス情報に基づいて記録情報の位置を特定することを特徴とする情報再生方法。
【請求項１６】
多値データを復調する際に用いる同期信号を抽出するための同期信号パターンを振幅変調により符号化して付加情報を格納し、前記同期信号パターンをデータ領域中に周期的に挿入している情報記録媒体を再生する情報再生方法において、
前記付加情報は再生特性を補正するための情報であり、該情報に基づいて記録情報を復調する工程におけるフィルタの周波数特性を変更することを特徴とする情報再生方法。
【請求項１７】
多値データを復調する際に用いる同期信号を抽出するための同期信号パターンを振幅変調により符号化して付加情報を格納し、前記同期信号パターンをデータ領域中に周期的に挿入している情報記録媒体を再生する情報再生方法において、
前記付加情報はコピープロテクション情報であり、前記コピープロテクション情報に基づいて再生制御することを特徴とする情報再生方法。
【請求項１８】
請求項１５乃至１７のいずれか一項に記載の情報再生方法において、
前記同期信号パターンの多値数が、ユーザデータの多値数よりも少ないことを特徴とする情報再生方法。
【請求項１９】
請求項１８記載の情報再生方法において、
前記同期信号パターンにおける付加情報が格納された振幅変調部の多値データは、少なくとも１値以上飛ばした値が選択されていることを特徴とする情報再生方法。
【請求項２０】
多値データを復調する際に用いる同期信号を抽出するための同期信号パターンを振幅変調により符号化して付加情報を格納し、前記同期信号パターンをデータ領域中に周期的に挿入している情報記録媒体を再生する手段を備えた情報再生装置において、
前記付加情報はアドレス情報であり、前記アドレス情報に基づいて記録情報の位置を特定する手段を設けたことを特徴とする情報再生装置。
【請求項２１】
多値データを復調する際に用いる同期信号を抽出するための同期信号パターンを振幅変調により符号化して付加情報を格納し、前記同期信号パターンをデータ領域中に周期的に挿入している情報記録媒体を再生する手段を備えた情報再生装置において、
前記付加情報は再生特性を補正するための情報であり、該情報に基づいて記録情報を復調する工程におけるフィルタの周波数特性を変更する手段を設けたことを特徴とする情報再生装置。
【請求項２２】
多値データを復調する際に用いる同期信号を抽出するための同期信号パターンを振幅変調により符号化して付加情報を格納し、前記同期信号パターンをデータ領域中に周期的に挿入している情報記録媒体を再生する手段を備えた情報再生装置において、
前記付加情報はコピープロテクション情報であり、前記コピープロテクション情報に基づいて再生制御する手段を設けたことを特徴とする情報再生装置。
【請求項２３】
請求項２０乃至２２のいずれか一項に記載の情報再生装置において、
前記同期信号パターンの多値数が、ユーザデータの多値数よりも少ないようにしたことを特徴とする情報再生装置。
【請求項２４】
請求項２３記載の情報再生装置において、
前記同期信号パターンにおける付加情報が格納された振幅変調部の多値データは、少なくとも１値以上飛ばした値を選択するようにしたことを特徴とする情報再生装置。
【請求項２５】
多値データを復調する際に用いる同期信号を抽出するための同期信号パターンを振幅変調により符号化して付加情報を格納し、前記同期信号パターンがデータ領域中に周期的に挿入されている情報記録媒体において、
前記付加情報は、記録情報の位置が特定されるアドレス情報であることを特徴とする情報記録媒体。
【請求項２６】
多値データを復調する際に用いる同期信号を抽出するための同期信号パターンを振幅変調により符号化して付加情報を格納し、前記同期信号パターンがデータ領域中に周期的に挿入されている情報記録媒体において、
前記付加情報は、記録情報を復調する工程におけるフィルタの周波数特性を変更し、再生特性を補正するための情報であることを特徴とする情報記録媒体。
【請求項２７】
多値データを復調する際に用いる同期信号を抽出するための同期信号パターンを振幅変調により符号化して付加情報を格納し、前記同期信号パターンがデータ領域中に周期的に挿入されている情報記録媒体において、
前記付加情報は、再生制御に用いるコピープロテクション情報であることを特徴とする情報記録媒体。
【請求項２８】
請求項２５乃至２７のいずれか一項に記載の情報記録媒体において、
前記同期信号パターンの多値数が、ユーザデータの多値数よりも少ないことを特徴とする情報記録媒体。
【請求項２９】
請求項２８記載の情報記録媒体において、
前記同期信号パターンにおける付加情報が格納された振幅変調部の多値データは、少なくとも１値以上飛ばした値が選択されていることを特徴とする情報記録媒体。
【発明の詳細な説明】
【技術分野】
【０００１】
この発明は、追記型の光ディスク，書き換え型の光ディスク，相変化型の光ディスク，光磁気型ディスク，再生専用型の光ディスクなどの情報記録媒体と、情報記録媒体に記録された同期信号パターンから再生信号を復調する際に用いる同期信号を生成する同期信号生成方法と、情報記録媒体の記録情報を再生する情報再生方法と、情報記録媒体の記録情報を再生する情報再生装置と、情報記録媒体に情報を記録する情報記録方法と、情報記録媒体に情報を記録する情報記録装置とに関する。
【背景技術】
【０００２】
従来、再生波形から再生波形の電圧値を取り込むタイミングを与えるクロック（以下、復調クロックと称す）を生成する方式（セルフクロック方式と呼ばれる）においては、多値記録方式における復調クロックの生成は困難であるという課題が挙げられており、情報記録媒体に多値記録によって記録された情報を再生する際に発生する再生ジッターを実用上支障のない範囲におさえ、記録情報を正確に再生することができる情報再生装置を提供するために、（１）記録パルスの変調を行うための変調クロックを用いて復調クロックを生成する、（２）生成すべき記録情報とは別に、クロックビットとしての多値情報を情報記録媒体に記録しておき、このクロックビットとしての多値情報からクロック生成回路を用いて復調クロックを生成する情報再生装置（例えば、特許文献１参照）があった。
【０００３】
また、データと共に同期信号パターンを挿入することの有用性と、同期信号の生成方法について、「セクタを複数のデータブロックに分割すると共に、このデータブロック毎にクロック生成用のクロックパターンをデータと共に記録し、再生時にそれをもとに再生信号をサンプリングすることにより、連続サーボ方式において種々の複雑な再生信号処理が可能なようにし、また、クロック生成方法として、クロックエッジを２回微分することにより抽出する情報記録再生装置（例えば、特許文献２参照）があった。
【特許文献１】特開平４−２１９６２６号公報
【特許文献２】特開平８−２２６７７号公報
【発明の開示】
【発明が解決しようとする課題】
【０００４】
しかしながら、上述した従来の情報再生装置では、記録情報を再生するための復調クロックの生成手段として（１）及び（２）の手段を挙げているが、（１）では、記録パルスの変調を行うための変調クロックが、記録マークからの再生信号波形のピーク値と精度良く同期していなければならず、また（２）では、クロックビットとしての多値情報を予め情報記録媒体に記録しておく必要があるという問題があった。
【０００５】
また、上述した従来の情報記録再生装置では、データブロック毎にクロック生成用のクロックパターンをデータ領域中に記録する必要があり、ユーザ情報を記録する領域（以下、ユーザデータ領域と記す）の容量を減少させてしまうという問題があった。
さらに、クロックを生成するために再生信号を２回微分する必要があり、また、生成されたクロックはセル境界において立ち上がりエッジを有するため、位相を調整しなければならず、回路が複雑になるという問題があった。
【０００６】
この発明は上記の点に鑑みてなされたものであり、情報記録媒体に記録された情報を正確に再生し、且つユーザデータ領域の減少を抑えるために、セル中心が精度よく特定でき、且つ振幅変調の符号化をすることにより、従来、冗長データとなるような情報を付加情報として格納することができるような同期信号パターンを多値データと共に記録した情報記録媒体を提供することを目的とする。
また、その同期信号パターンから記録された情報を復調するための同期信号を生成する同期信号生成方法を提供することを目的とする。
さらに、その同期信号生成方法により生成した同期信号を用い、情報記録媒体に記録された情報を再生する情報再生方法及び情報再生装置を提供することを目的とする。
さらにまた、上記同期信号パターンを情報記録媒体に記録する情報記録方法及び情報記録装置を提供することを目的とする。
【課題を解決するための手段】
【０００７】
この発明は上記の目的を達成するため、次の情報記録媒体，同期信号生成方法，情報再生方法，情報再生装置，情報記録方法，情報記録装置を提供する。
（１）仮想的に等間隔に分割された領域に、多値データに応じて検出信号レベルが異なる記録マークが形成された情報記録媒体において、多値データを復調する際に用いる同期信号を抽出するための同期信号パターンがデータ領域中に周期的に挿入されており、上記同期信号パターンは、上記仮想的に等間隔に分割された領域の中心を特定できる再生信号波形を得られ、且つ振幅変調により符号化されている情報記録媒体。
（２）上記（１）の情報記録媒体において、上記同期信号パターンが、再生信号におけるピークまたはボトムを１つだけ特定できるようなパターンである情報記録媒体。
【０００８】
（３）上記（２）の情報記録媒体において、上記同期信号パターンを振幅変調する際、再生信号におけるピークまたはボトム位置における信号レベルを変化させることにより、複数種類の同期信号パターンを構成する情報記録媒体。
（４）上記（２）の情報記録媒体において、上記同期信号パターンを振幅変調する際、再生信号におけるピークまたはボトム位置以外における信号レベルを変化させることにより、複数種類の同期信号パターンを構成する情報記録媒体。
（５）上記（２）乃至（４）のいずれかの情報記録媒体に記録された同期信号パターンより得られる再生信号から、ピークまたはボトム検出をする位置検出信号を生成する工程と、その工程によって生成された位置検出信号に基づいて多値データをサンプリングするための同期信号を生成する工程とからなる同期信号生成方法。
【０００９】
（６）上記（１）の情報記録媒体において、上記同期信号パターンは、再生信号における信号レベルが所定レベルよりも高い記録マークの少なくとも２個以上の連続と、信号レベルが所定レベルよりも低い記録マークの少なくとも２個以上の連続とを含んでいる情報記録媒体。
（７）上記（６）の情報記録媒体において、上記再生信号における信号レベルが所定レベルよりも高い記録マークと上記信号レベルが所定レベルよりも低い記録マークは、或る特定の基準レベルに対して対称となる２つの信号レベルが得られる記録マークである情報記録媒体。
（８）上記（７）の情報記録媒体において、上記基準レベルは、多値レベルとして取りうる最大値と最小値の中心レベルである情報記録媒体。
【００１０】
（９）上記（６）の情報記録媒体に記録された同期信号パターンを読み取り、その同期信号パターンに基づいて同期信号を生成する同期信号生成方法。
（１０）上記（７）又は（８）の情報記録媒体に記録された同期信号パターンより得られる再生信号から、上記基準レベルを横切るタイミングを検出する位置検出信号を生成する工程と、その工程によって生成された位置検出信号に基づいて多値データをサンプリングするための同期信号を生成する工程とからなる同期信号生成方法。
（１１）上記（５）（９）（１０）のいずれかの同期信号生成方法によって生成された同期信号に基づいて上記情報記録媒体に記録された情報を復調して再生する情報再生方法。
（１２）上記（５）（９）（１０）のいずれかの同期信号生成方法によって生成された同期信号に基づいて上記情報記録媒体に記録された情報を復調して再生するようにした情報再生装置。
【００１１】
（１３）情報記録媒体上に仮想的に等間隔に分割された領域の中心を特定できる再生信号波形を得られ、且つ振幅変調により符号化されており、多値データを復調する際に用いる同期信号を抽出するための同期信号パターンをデータ領域中に周期的に挿入して上記情報記録媒体に記録する情報記録方法。
（１４）情報記録媒体上に仮想的に等間隔に分割された領域の中心を特定できる再生信号波形を得られ、且つ振幅変調により符号化されており、多値データを復調する際に用いる同期信号を抽出するための同期信号パターンをデータ領域中に周期的に挿入して上記情報記録媒体に記録する情報記録装置。
【００１２】
（１５）多値データを復調する際に用いる同期信号を抽出するための同期信号パターンを振幅変調により符号化して付加情報を格納し、上記同期信号パターンをデータ領域中に周期的に挿入している情報記録媒体を再生する情報再生方法において、上記付加情報はアドレス情報であり、上記アドレス情報に基づいて記録情報の位置を特定する情報再生方法。
（１６）多値データを復調する際に用いる同期信号を抽出するための同期信号パターンを振幅変調により符号化して付加情報を格納し、上記同期信号パターンをデータ領域中に周期的に挿入している情報記録媒体を再生する情報再生方法において、上記付加情報は再生特性を補正するための情報であり、その情報に基づいて記録情報を復調する工程におけるフィルタの周波数特性を変更する情報再生方法。
【００１３】
（１７）多値データを復調する際に用いる同期信号を抽出するための同期信号パターンを振幅変調により符号化して付加情報を格納し、上記同期信号パターンをデータ領域中に周期的に挿入している情報記録媒体を再生する情報再生方法において、上記付加情報はコピープロテクション情報であり、上記コピープロテクション情報に基づいて再生制御する情報再生方法。
（１８）上記（１５）〜（１７）のいずれかの情報再生方法において、上記同期信号パターンの多値数が、ユーザデータの多値数よりも少ない情報再生方法。
（１９）上記（１８）の情報再生方法において、上記同期信号パターンにおける付加情報が格納された振幅変調部の多値データは、少なくとも１値以上飛ばした値が選択されている情報再生方法。
【００１４】
（２０）多値データを復調する際に用いる同期信号を抽出するための同期信号パターンを振幅変調により符号化して付加情報を格納し、上記同期信号パターンをデータ領域中に周期的に挿入している情報記録媒体を再生する手段を備えた情報再生装置において、上記付加情報はアドレス情報であり、上記アドレス情報に基づいて記録情報の位置を特定する手段を設けた情報再生装置。
（２１）多値データを復調する際に用いる同期信号を抽出するための同期信号パターンを振幅変調により符号化して付加情報を格納し、上記同期信号パターンをデータ領域中に周期的に挿入している情報記録媒体を再生する手段を備えた情報再生装置において、上記付加情報は再生特性を補正するための情報であり、その情報に基づいて記録情報を復調する工程におけるフィルタの周波数特性を変更する手段を設けた情報再生装置。
【００１５】
（２２）多値データを復調する際に用いる同期信号を抽出するための同期信号パターンを振幅変調により符号化して付加情報を格納し、上記同期信号パターンをデータ領域中に周期的に挿入している情報記録媒体を再生する手段を備えた情報再生装置において、上記付加情報はコピープロテクション情報であり、上記コピープロテクション情報に基づいて再生制御する手段を設けた情報再生装置。
（２３）上記（２０）〜（２２）のいずれかの情報再生装置において、上記同期信号パターンの多値数が、ユーザデータの多値数よりも少ないようにした情報再生装置。
（２４）上記（２３）の情報再生装置において、上記同期信号パターンにおける付加情報が格納された振幅変調部の多値データは、少なくとも１値以上飛ばした値を選択するようにした情報再生装置。
【００１６】
（２５）多値データを復調する際に用いる同期信号を抽出するための同期信号パターンを振幅変調により符号化して付加情報を格納し、上記同期信号パターンがデータ領域中に周期的に挿入されている情報記録媒体において、上記付加情報は、記録情報の位置が特定されるアドレス情報である情報記録媒体。
（２６）多値データを復調する際に用いる同期信号を抽出するための同期信号パターンを振幅変調により符号化して付加情報を格納し、上記同期信号パターンがデータ領域中に周期的に挿入されている情報記録媒体において、上記付加情報は、記録情報を復調する工程におけるフィルタの周波数特性を変更し、再生特性を補正するための情報である情報記録媒体。
【００１７】
（２７）多値データを復調する際に用いる同期信号を抽出するための同期信号パターンを振幅変調により符号化して付加情報を格納し、上記同期信号パターンがデータ領域中に周期的に挿入されている情報記録媒体において、上記付加情報は、再生制御に用いるコピープロテクション情報である情報記録媒体。
（２８）上記（２５）〜（２７）のいずれかの情報記録媒体において、上記同期信号パターンの多値数が、ユーザデータの多値数よりも少ない情報記録媒体。
（２９）上記（２８）の情報記録媒体において、上記同期信号パターンにおける付加情報が格納された振幅変調部の多値データは、少なくとも１値以上飛ばした値が選択されている情報記録媒体。
【発明の効果】
【００１８】
この発明による情報記録媒体は、セル中心が精度よく特定でき、且つ振幅変調の符号化をすることにより、従来、冗長データとなるような情報を付加情報として格納することができるような同期信号パターンを多値データと共に記録することにより、記録された情報を正確に再生し、且つユーザデータ領域の減少を抑えることができる。また、この発明による同期信号生成方法は、情報記録媒体の同期信号パターンから記録された情報を復調するための同期信号を生成することができる。さらに、この発明による情報再生方法，情報再生装置によれば、情報記録媒体の同期信号パターンから生成した同期信号を用いて情報記録媒体に記録された情報を再生することができる。さらにまた、この発明による情報記録方法，情報記録装置は、情報記録媒体に記録された情報を再生するための同期信号パターンを記録することができる。
【発明を実施するための最良の形態】
【００１９】
以下、この発明を実施するための最良の形態を図面に基づいて具体的に説明する。
＜多値記録信号と記録再生に関する説明＞
図１は、多値再生信号の波形の例とセルと称する記録マークを形成する領域の概念図を示す図である。
セルの中心に記録マークを記録し、その面積占有率を変化させることにより（面積変調）、多値記録が可能となる。例えば、面積占有率を８階調にすることで、８値記録が可能となる。
【００２０】
また、ここでの記録マークは、その情報記録媒体の種類によらない。すなわち、反射率が変化するような相変化メディア，主に位相差が変化する色素メディア，再生専用のＲＯＭメディアのピットでも同様の効果が得られる。
セル中心を示す同期信号によって再生信号をサンプリングし、その検出信号レベルを判定することにより、多値データを再生することができる。
なお、同期信号の周波数はセル周波数以上であればよく、セル中心を特定できればよい。
【００２１】
図１には、多値データがレベル０であるセルがいくつかあるが、それらの位置における信号レベルに差が見られる。これは、記録再生スポットの径がセルよりも大きいため、或るセルの記録マークを検出する際、前後の記録マークも検出してしまうこと（符号間干渉）によるものである。これは後段の波形等化（ＥＱ：イコライザ）回路によって補正することが可能である。
【００２２】
図２は、多値記録再生装置の構成例を示す図である。
なお、ここでは光ディスクを例にしているが、本発明は情報記録媒体の記録方式にはよらない。すなわち、光磁気型，再生専用型，追記型，書き換え型のいずれの種類の情報記録媒体において同様の効果が得られる。また、図２には、説明に必要な最低限の構成のみを示し、ここでは、多値記録再生に関する最低限の説明のみとする。同期信号パターン中に格納されるデータに関しては、後述にて詳細に説明する。
この多値記録再生装置は、光情報記録媒体１に多値情報を記録する場合、情報データ生成器５に入力されたユーザ情報は、多値データ変換器４で多値データに変換され、ＬＤ駆動信号生成器３により、変換された多値データに対応した記録マークを形成するための記録パルスを発生させ、ピックアップヘッド２のレーザダイオード（ＬＤ）から光情報記録媒体１の記録面に集光ビームを照射させ、多値情報を記録する。
【００２３】
一方、光情報記録媒体１に記録された多値データを再生する場合、回転する光情報記録媒体１の記録面にピックアップヘッド２のレーザダイオード（ＬＤ）から集光ビームを照射し、その反射した戻り光をフォトディテクタ６で光電変換する。次に、ＡＧＣ制御回路７によって、電気信号に変換された再生信号からセクタマークを検出し、そのセクタマークの最大信号値（レベル０の連続）と最小信号値（レベル７の連続）を検出し、その振幅（上記最大信号値と上記最小信号値との差）が一定になるように自動利得制御（Ａｕｔｏ  Ｇａｉｎ  Ｃｏｎｔｒｏｌ：ＡＧＣ制御）する。その制御信号を、上述のようにセル中心を示す同期信号でサンプリングするため、同期部検出回路１０とサンプリング信号生成回路１１によって多値データと共に記録された同期信号パターンから同期信号を生成する。この同期信号により再生信号を量子化ＡＤ変換器８によって量子化（ＡＤ変換：アナログ・ディジタル変換）し、多値信号メモリ９に順次記録される。この多値信号メモリ９に記録されたディジタル信号を、後段の波形等化（ＥＱ：イコライザ）回路や復調回路を通し、多値データを復調する。
【００２４】
＜同期信号パターンの必要性と形態について＞
再生信号をサンプリングするための同期信号の検出方法は、２値記録と多値記録の場合で大きく異なる。
２値記録の場合は、そのデータエッジにクロック成分が含まれているため、データ領域を再生することにより、クロックを抽出することができる（セルフクロック方式と呼ばれる）。
しかし、多値記録の場合には、データエッジにクロック成分が含まれていないため、データの再生信号からクロックを抽出することができない。
そこで、同期信号を生成するための特殊パターン（同期信号パターン）を周期的に挿入する必要がある。
【００２５】
なお、同期信号パターンとは、特定の多値データ列に対応した記録マークの配列パターンや、再生信号における信号形態をさすこともあるが、ここでは主に多値データ列のことを示している。
しかし、同期信号パターンはユーザデータ領域の一部にデータと共に挿入するため、あまり多くのセルを使用するとユーザデータ領域が減少してしまうという問題もある。
例えば、１００セルのユーザデータ領域のうち、５セルを同期信号パターンとして使用すると、５％の容量減少となる。同期信号パターンは、なるべく少ないセル数で、且つ精度よくセル中心を特定できる必要がある。
【００２６】
これ以降の説明では、多値レベルをレベル０からレベル７の８値とした場合について解説する。これ以外の多値レベル数に関しても同様の効果が得られるが、多値レベル数が多いほど効果は大きい。
〔実施例１〕
図３は、この発明の実施例１の説明に供するデータセクタの構成例を示す図である。
図４は、この発明の実施例１の同期信号パターンの挿入箇所の構成例を示す図である。
図３に示すように、データセクタ２０は、同期信号パターン（ＣＭ）２１，データセクタの先頭を示すセクタマーク（ＳＭ）２２，アドレス情報部（ＡＤ）２３，アドレス情報のエラー訂正部（ＣＲＣ）２４，ユーザデータ領域（ＤＡＴＡ）２５の部分から構成されている。
【００２７】
同期信号パターン（ＣＭ）２１は、多値データ列に周期的に挿入されている。この第１実施例では、図４に示すように、周期的に挿入された同期信号パターン２１に振幅変調の符号化を行い、複数種類のパターンを用いて情報を付加できるようにしている。
なお、詳しい同期信号パターンに関しては後述する。
また、付加する情報とは、メディア情報，ドライブ情報，アドレス情報，イコライザパラメータ，最適ＬＤパワーの情報等の様々な情報が考えられる。また、ユーザ情報の一部を挿入するようにしてもよい。
セクタマーク（ＳＭ）２２は、同期信号パターンの概略位置を特定するための単純なパターンである。アドレス情報部（ＡＤ）２３，アドレス情報のエラー訂正部（ＣＲＣ）２４は、ユーザデータ領域（ＤＡＴＡ）２５に含まれていてもよく、また、この例と異なった配列でも構わない。
【００２８】
このようにして、同期信号パターンに振幅変調の符号化を行うことにより、複数種類の同期信号パターンが得られるので、同期信号に情報を入れることができ、付加情報の挿入が可能となる。また、セルの中心が特定できる同期信号パターンなので、精度よく多値情報を再生することが可能となる。
【００２９】
〔実施例２〕
図５は、この発明の実施例２における同期信号パターンに対応する多値情報，再生信号波形及び波形等化後の信号の例を示す図である。
図６は、この発明の実施例２における同期信号パターンに対応する多値情報「００４７４００」における再生信号波形及び波形等化後の信号の例を示す図である。
図７は、この発明の実施例２における同期信号パターンの記録マークの形状とその各記録マークの波形等化後の信号の例を示す図である。
図５では、多値レベルを“４４０４４”，“４４１４４”，・・・，“４４７４４”というような振幅変調を行った同期信号パターンを例にとっており、ピークまたはボトム位置を検出することにより、セル中心が特定できる構成にしている。
【００３０】
この例の場合、ピークまたはボトム位置における多値レベルを変化させているが、ピークまたはボトム位置がセル中心で特定できるパターンであればよく、ピークまたはボトム以外のセルにおける多値レベルを変化させても構わない。
また、ピークまたはボトム位置を中心に左右対称となるようなパターンにすることが望ましい。これは、前後の記録マークによる符号間干渉により、ピークまたはボトム位置がずれることを防ぐ効果がある。再生信号は後段の波形等化により符号間干渉の影響を補正し、付加情報を検出する。その付加情報とは、例えば、メディア情報，ドライブ情報，アドレス情報，イコライザパラメータ，最適ＬＤパワーの情報等、様々な情報が考えられる。また、ユーザ情報の一部を挿入してもよい。
【００３１】
図５では、ピークまたはボトム位置における多値レベルとそれ以外の位置における多値レベルの２値の組合せであるが、その多値レベルの組合せに制限はない。
例えば、図６に示す“００４７４００”というようなパターンでも構わない。しかし、この場合、同期信号パターンを構成するためのセル数を増やす必要がある。
この実施例２の構成を満たす同期信号パターンの条件１は以下の通りである。
条件１：「再生信号におけるピークまたはボトムを１つだけ特定できること」
また、振幅変調の符号化ではないが、条件１を満たす同期信号パターンの例を図７に示す。これは、ピークまたはボトムを１つだけ特定できるパターンとなっているが、振幅変調の符号化ではなく、振幅を固定した状態で同期信号パターンの信号レベルを変化させている。
今後、このような同期信号パターン、つまり、「対応する再生信号におけるピークまたはボトムを１つだけ特定できるようなパターン」をパターンＩと称する。
【００３２】
この例の場合、多値レベルを“００４００”，“１１５１１”，・・・，“７７３７７”というように、ピークまたはボトム位置における多値レベルとその隣接するセルにおける多値レベルとの差は“４”であり、その値を固定とした構成にしている。振幅はこれ以外の値であっても構わない。
また、図７に示すように、ピークまたはボトム位置における多値レベルとその隣接するセルにおける多値レベルとの振幅を固定していれば、上下反転した形態でも構わない。
【００３３】
これにより、再生信号は、いずれの同期信号パターンにおいても、同等の波形が得られるため、ピークまたはボトムとなる記録マークが受ける前後の記録マークによる符号間干渉の影響が、すべての同期信号パターンにおいて同等となるため、位相ずれを小さくすることができる。
このようにして、再生信号波形のピークまたはボトム位置がセル中心に位置する同期信号パターンを実現することができるので、その位置における同期信号を生成すればよく、後段の同期信号生成回路を簡略化することができる。
【００３４】
〔実施例３〕
図８は、この発明の実施例３における同期信号パターンに対応する多値情報，再生信号波形及び波形等化後の信号の例を示す図である。
この例の場合、ピークまたはボトム位置以外の多値レベルをレベル０で固定し、ピークまたはボトム位置における多値レベルを振幅変調している。
図８に示すように、多値レベルを“００１００”，“００２００”，・・・，“００７００”というような振幅変調を行った同期信号パターンを示しているが、ピークまたはボトム位置以外の多値レベルをレベル１からレベル７というように設定しても構わない。
つまり、この構成を満たす同期信号パターンの条件２は以下の通りである。
条件２：「再生信号におけるピークまたはボトム位置の信号レベルを変化させること」
このようにして、ピークまたはボトム位置以外における多値レベルを固定するので、複数種類の同期信号パターンにおける、ピークまたはボトム位置の記録マークが受ける符号間干渉の影響の差や、同期信号パターンに隣接するユーザデータへの符号間干渉の差を小さくすることができる。
【００３５】
〔実施例４〕
図９は、この発明の実施例４における同期信号パターンに対応する多値情報，再生信号波形及び波形等化後の信号の例を示す図である。
この場合、ピークまたはボトム位置の信号レベルをレベル０で固定し、ピークまたはボトム位置以外における多値レベルを振幅変調している。
図９に示すように、多値レベルを“１１０１１”，“２２０２２”，・・・，“７７０７７”というような振幅変調を行った同期信号パターンを示しているが、ピークまたはボトム位置の信号レベルをレベル１からレベル７というように設定しても構わない。
つまり、この構成を満たす同期信号パターンの条件３は以下の通りである。
条件３：「再生信号におけるピーク又はボトム位置以外の信号レベルを変化させること」
このようにして、ピークまたはボトム位置における多値レベルを固定とするので、挿入した付加情報の信頼性を高めることができる。
【００３６】
〔実施例５〕
上記実施例２〜実施例４で説明した、また、後述の実施例１２で説明する同期信号パターンＩから同期信号を生成する同期信号生成方法について説明する。
図１０は、ピークまたはボトム位置検出による同期信号生成回路の構成例を示すブロック図である。
図１１は、図１０に示す同期信号生成回路による同期信号生成例を示す波形図である。
この実施例５では、“００７００”という同期信号パターンを例にとり説明する。
以下に、同期信号パターンＩに対応する同期信号生成工程を示す。
【００３７】
（ｉ）同期信号パターンＩに対応した同期信号生成工程
ｉ−１：図１０に示すように、再生信号をローパスフィルタ（ＬＰＦ）３１に通すことにより、再生信号からセクタマーク（ＳＭ）を検出するためのスライスレベルを生成する。
ｉ−２：ＬＰＦ３０によりノイズを除去した再生信号を、２値化回路３２において上記スライスレベルにより２値化し、ＳＭ検出器３３によってセクタマーク（ＳＭ）のパターンを検出する。
ｉ−３：ウインドウ信号生成器３４において、ｉ−２で検出したセクタマークのパターンから、ピークまたはボトム位置を検出するウインドウ信号を生成する。
ｉ−４：ＬＰＦ３０からの再生信号と上記ウインドウ信号から同期信号パターンを検出する。
ｉ−５：微分回路３５によってｉ−４の信号を微分し、２値化回路３６によってゼロクロス点で２値化することによって、クロックエッジ（クロック信号のエッジ）を検出する。
ｉ−６：ｉ−５で検出したクロックエッジをＰＬＬ（Ｐｈａｓｅ  Ｌｏｃｋｅｄ  Ｌｏｏｐ：フェーズロックドループ）回路３７で逓倍し、多値データに同期したセル周期の同期信号を生成する。このとき、生成した同期信号の立ち上がりエッジがセル中心となる。
【００３８】
このようにして、情報記録媒体に記録された同期信号パターンを検出し、その同期信号パターンに基づいて記録情報を復調するための同期信号を生成することができる。また、再生信号における同期信号パターンのピークまたはボトムがセル中心となるため、同期信号を生成する回路の構成が比較的簡略化できる。
【００３９】
〔実施例６〕
図１２は、この発明の実施例６における同期信号パターンに対応する多値情報，再生信号波形及び波形等化後の信号の例を示す図である。
図１３は、この発明の実施例６における同期信号パターンに対応する多値情報「７７６１００」における再生信号波形及び波形等化後の信号の例を示す図である。
図１４は、この発明の実施例６における同期信号パターンの記録マークの形状とその各記録マークの波形等化後の信号の例を示す図である。
【００４０】
図１２に示すように、多値レベルを“７７００”，“６６１１”，・・・，“００７７”というような振幅変調を行った場合について示している。
これらのパターンはすべて平均レベルが３．５であり、これを基準レベルとしている。
この基準レベルをスライスレベルとしてクロックエッジのタイミングを検出する。再生信号は後段の波形等化により符号間干渉の影響を補正し、付加情報を検出する。
同期信号パターンは、スライスレベルを横切るタイミングが特定できるパターンであればよく、その多値レベルの組合せに制限はない。
例えば、図１３に示すような、“７７６１００”というパターンでも構わない。この構成を満たす同期信号パターンの条件４は以下の通りである。
【００４１】
条件４：「再生信号における信号レベルが高い記録マークＡの少なくとも２個以上の連続と、信号レベルが低い記録マークＢの少なくとも２個以上の連続とが結合された部分を含んでいること」
また、振幅変調の符号化ではないが、条件４を満たす同期信号パターンの例を図１４に示す。これは、信号レベルが所定のレベルよりも高い記録マークＡの連続と、信号レベルが所定のレベルよりも低い記録マークＢの連続が結合された部分を含んでいるパターンとなっているが、振幅変調の符号化ではなく、振幅を固定した状態で同期信号パターンの信号レベルを変化させている。上記所定のレベルは、多値レベルが取りうる最大値と最小値の間の任意の値（上記最大値と上記最小値は除いた値）に設定すると良い。
今後、このような同期信号パターン、つまり「対応する再生信号における信号レベルが所定レベルよりも高い記録マークの少なくとも２個以上の連続と、信号レベルが所定レベルよりも低い記録マークの少なくとも２個以上の連続とを含んでいるようなパターン」をパターンIIと称する。
【００４２】
この例の場合、多値レベルを“００４４”，“１１５５”，・・・，“７７３３”というように、記録マークＡと記録マークＢとの多値レベルの差は“４”であり、その値を固定とした構成にしている。その差はこれ以外の値であっても構わない。
また、図１４に示すように、この差を固定していれば、上下反転した形状でも構わない。
これにより、再生信号は、いずれの同期信号パターンにおいても、同等の波形が得られるため、スライスレベルが横切るタイミング位置を中心とした前後のマークが受ける符号間干渉の影響が、すべての同期信号パターンにおいて同等となるため、位相ずれを小さくすることができる。
【００４３】
この同期信号パターンの場合、スライスレベルが複数存在するので、同期信号を生成する工程（後述する）において、スライスレベルを１個に特定するための、例えば、再生信号を２回微分するなどの工程が必要となる。
このようにして、再生信号におけるスライスレベルを横切るタイミングを検出するため、ノイズの影響に強く、位相ずれを小さくすることが可能となる。また、同期信号パターンが、最少で４セルでの構成が可能となるので、ユーザデータ領域の容量減少を抑えることができる。
【００４４】
〔実施例７〕
図１５は、この発明の実施例７における同期信号パターンに対応する多値情報，再生信号波形及び波形等化後の信号の例を示す図である。
この場合、上記記録マークＡの信号レベルを“０”、上記記録マークＢの信号レベルを“６”としており、スライスレベルは２値の中心であるレベル３である。このレベル３を中心に“６６００”，“５５１１”，・・・，“００６６”というような振幅変調を行った例である。
【００４５】
この場合、スライスレベルをレベル３としているが、その他の多値レベルをスライスレベルとしても構わない。つまり、この構成を満たす同期信号パターンの条件５は以下の通りである。
条件５：「再生信号における前記Ａマーク及び前記Ｂマークの信号レベルをある特定のスライスレベルに対し対称な信号レベルとすること」
このようにして、再生信号におけるスライスレベルを一定の値に固定することができるため、後段のスライスレベル検出回路を簡略化することが可能となる。
【００４６】
〔実施例８〕
図１６は、この発明の実施例８における同期信号パターンに対応する多値情報，再生信号波形及び波形等化後の信号の例を示す図である。
図１６に示すように、スライスレベルを、多値レベルとして取りうる最大値と最小値の中心レベルとした構成である。
例えば、多値レベル数をレベル０からレベル７までの８値とした場合、スライスレベルは中心のレベル３．５となり、そのスライスレベルを中心に、多値レベルを“００７７”，“１１６６”，・・・，“７７００”というように振幅変調を行う。
【００４７】
これは、実施例７における、情報量が最大となる構成であり、多値レベル数が８値の場合、８種類の同期信号パターンが得られる。この構成を満たす同期信号パターンの条件６は以下の通りである。
条件６：「再生信号における前記Ａマーク及び前記Ｂマークによる信号レベルを、多値レベルとして取りうる最大値と最小値の中心レベルをスライスレベルとする」
このようにして、多値レベルの取りうる最大値と最小値の中心をスライスレベルとするため、情報量が最大となる。
【００４８】
〔実施例９〕
上記実施例６〜実施例８で説明した、また、後述の実施例１３乃至１５で説明する同期信号パターンIIから同期信号を生成する同期信号生成方法について説明する。
図１７は、ピークまたはボトム位置検出による同期信号生成回路の他の構成例を示すブロック図であり、図１０と共通する部分には同一符号を付している。
図１７は、基準レベル（スライスレベル）が多値レベルとして取りうる最大値（レベル０）と最小値（レベル７）の中心のレベル（レベル３．５）である場合を示している。
基準レベルを上記中心レベル以外とするときには、後述するii−５の工程において、２回微分回路を挿入するなどの必要があるが、同図中では省略した。
図１８は、図１７に示す同期信号生成回路による同期信号生成例を示す波形図である。
この実施例９では、“００７７”という同期信号パターンを例にとり説明する。以下に、同期信号パターンIIに対応する同期信号生成工程を示す。
【００４９】
（ii）同期信号パターンIIに対応した同期信号生成工程
ii−１：図１７に示すように、再生信号をローパスフィルタ（ＬＰＦ）３１に通すことにより、再生信号からセクタマーク（ＳＭ）を検出するためのスライスレベルを生成する。
ii−２：ＬＰＦ３０によりノイズを除去した再生信号を、２値化回路３６において上記スライスレベルにより２値化し、ＳＭ検出器８３においてセクタマーク（ＳＭ）のパターンを検出する。
ii−３：ウインドウ信号生成器３４において、ii−２のパターンからスライスレベルが横切るタイミング位置を検出するウインドウ信号を生成する。
ii−４：ＬＰＦ３０からの再生信号と上記ウインドウ信号から同期信号パターンを検出する。
ii−５：基準レベル（スライスレベル）が、多値レベルとして取りうる最大値と最小値との中心のレベル（この場合、レベル３．５）の場合には、２値化回路３６によってii−４の信号をゼロクロス点で２値化することによって、クロックエッジを検出する。
【００５０】
なお、基準レベルが上記中心レベル以外の場合には、予め２回微分回路を設け、その２回微分回路によって２回微分をし、その出力信号をゼロクロス点で２値化することによって、クロックエッジを検出するようにするとよい。
ii−６：ii−５で検出したクロックエッジをＰＬＬ回路８６で逓倍し、多値データに同期し、且つデューティ（Ｄｕｔｙ）が５０％の、セル周期の同期信号を生成する。このとき、生成した同期信号の立ち上がりエッジはセル境界となり、立ち下がりエッジがセル中心となる。
このようにして、情報記録媒体に記録された同期信号パターンを検出し、その同期信号パターンに基づいて記録情報を復調するための同期信号を生成することができる。また、再生信号におけるスライスレベルを横切るタイミングを検出するため、ノイズに強く、位相ずれの小さい同期信号の生成が可能となる。
【００５１】
〔実施例１０〕
この発明の情報再生方法及び情報再生装置について説明する。
図１９は、この発明の実施例の情報再生装置の構成を示すブロック図である。
この情報再生装置は、同期信号検出回路４０が上記実施例５と実施例９で説明した同期信号生成方法により、再生信号からセル中心を特定する同期信号を生成する。この同期信号のタイミングで、アナログ・ディジタル変換器（ＡＤＣ）４１が再生信号をディジタル化する。ＡＤＣ４１で取り込んだディジタルデータを、セクタマークや同期信号パターンの特性に応じて、フィルタ処理や、スライスレベルを横切るタイミング位置検出やピークまたはボトム位置検出を行う。ディジタル化されたデータは、波形等化（ＥＱ：イコライザ）回路４２によって符号間干渉による高域信号減衰の補正を行い、復調回路４３によって記録情報に変換される。
このようにして、上述した同期信号生成方法により生成された同期信号に基づいて記録情報を再生することができる。
【００５２】
〔実施例１１〕
この発明の情報記録方法及び情報記録装置について説明する。
図２に示した情報記録再生装置により、上述した実施例１〜４及び実施例６〜８で説明した同期信号パターンを情報記録媒体中に記録することができる。
基本的にユーザデータと同様の手順で記録される。上記同期信号パターンは、多値化されたユーザ情報のデータ列に挿入され、ユーザデータと同時に、且つ同じ形態で情報記録媒体中に記録される。
このようにして、上述した同期信号パターンを情報記録媒体に記録することができる。
【００５３】
次に、この発明の実施例１２〜実施例１５について説明する。
＜データブロックについての説明＞
図２０は、実施例１２〜実施例１５におけるデータブロックの一例を示す図である。
このデータブロックにおいて、２ＫＢ（＝２０４８バイト）のユーザデータにアドレスデータ（セクタアドレス）、アドレスＥＣＣ（Ｅｒｒｏｒ  Ｃｏｒｒｅｃｔｉｏｎ  Ｃｏｄｅ）データ、その他の付加情報を付加したものを１セクタとし、これをセクタブロックと呼ぶ。
セクタアドレスは、２ＫＢのユーザデータに割り当てられた情報記録媒体（光ディスク）上のアドレスデータであり、アドレスＥＣＣは、アドレスデータに付加する誤り訂正用のデータである。
【００５４】
その他の付加情報には、ディスク識別情報、今後の拡張性及びユーザ情報、生産者情報などのユーザデータに対する付加情報が含まれる。
６４セクタのデータに対して誤り訂正用のデータを付加したデータ構成を１ＥＣＣブロックと呼び、１ＥＣＣブロックの行をインターリーブした結果が図２０に示すデータブロックとなっている。ここで、ＰＯは外符号パリティ、ＰＩは内符号パリティを示している。
図２０に示すデータブロックは、１６行のＰＯ（各行に含まれるＰＩも含む）を４セクタ（１２行）毎に１行挿入している。
このようにすることにより、セクタアドレスを含む行が３行または４行毎に存在し、データをアクセスするときのアドレスの読み取り効率が向上する。光ディスク等の情報記録媒体へのデータの記録再生は、図中に示すように横方向に順次記録再生する。
【００５５】
＜参考例のデータ構成＞
図２１は、図２０に示したデータブロック（５３０ワード×２０８行）を多値データに変換し、情報記録媒体に記録するときのデータ構成を示す参考例を示す図であり、図２０に示すデータブロックの１行分のデータである。
この１行分のデータを１フレームと呼び、１フレームにおいて同期信号パターンから始まる１行分のデータを１クラスタと呼ぶ。ここでは、１１ビット（１ワード）の２値データを４個の８値データ（０から７の値をとる）に変調して記録する例を示しており、実施例１２〜実施例１５においてもこの方式によって説明する。以後、１個の多値データを１シンボルと呼ぶ。情報記録媒体へのデータの記録再生は、同図中に示すように横方向に順次記録再生する。変調後の多値データに対して、以下のセクタマークと同期信号パターン（ＣＭ）及びアドレス検出用データ（図２１中のＡで示す領域に格納）である多値データを挿入して記録する。
【００５６】
セクタマーク＝“０００７７７７”
同期信号パターン＝“００７００”
アドレス検出用データ＝“０”：セクタデータの１行目（セクタアドレスあり）
アドレス検出用データ＝“３”：セクタデータの２行目
アドレス検出用データ＝“５”：セクタデータの３行目
アドレス検出用データ＝“７”：ＰＯデータ行
【００５７】
セクタマークは、図２０に示したデータブロック（５３０ワード×２０８行）の１行毎の区切りを検出するための信号である。同期信号パターン（ＣＭ）は、多値データに同期した同期信号を生成するための信号である。
アドレス検出用データは、その１行分のデータが３行のセクタデータのどの行か、或いはＰＯデータ行であるかを検出するためのデータである。ここでは、レベル０、レベル３、レベル５、レベル７の４値を用い、１シンボルの多値データとして挿入している。
アドレス検出用データを挿入することによって、セクタアドレスの読み取り処理を容易に行うことができる。
しかし、アドレス検出用データを１フレーム毎（図２０に示したデータブロックの全ての行）に付加するため、冗長度が大きくなるという問題がある。
【００５８】
〔実施例１２〕
この発明の実施例１２を、図２２及び図２３を用いて説明する。
図２２は、この実施例１２におけるデータ構成の一例を示す図であり、図２０に示したデータブロック（５３０ワード×２０８行）を多値データに変換し、情報記録媒体に記録するときのデータ構成を示す図である。
図２３は、この実施例１２における同期信号パターンの多値データ列とその再生信号及び波形等化後の信号波形を示す図である。
実施例１２における多値情報記録再生装置では、変調後の多値データに対して以下のセクタマークと同期信号パターンを挿入して記録する。
【００５９】
セクタマーク＝“００００７７７７”
同期信号パターン＝“００ｘ００”
ｘ＝１（パターンＡ）：セクタデータの１行目（セクタアドレスあり）
ｘ＝３（パターンＢ）：セクタデータの２行目
ｘ＝５（パターンＣ）：セクタデータの３行目
ｘ＝７（パターンＤ）：ＰＯデータ行
【００６０】
セクタマークと同期信号パターンは、上記参考例と同じ目的で挿入している。
上記参考例のようなセクタアドレス検出用データは挿入せず、その役割を同期信号パターンの中心の多値データが補っている。
ここでは、図２２に示したデータ構成における同期信号パターンは、１フレーム（１行分のデータ）内において全て同じパターンとしており、上記の４種類のパターンであるとしている。
【００６１】
光ディスク（情報記録媒体）５０中のデータをアクセスするときは、セクタアドレスを読み取って、図２０に示したデータブロックを検出する必要がある。
まず、セクタマークを検出し、１行（１フレーム）分のデータの区切りを検出する。検出したセクタマークから同期信号パターンを検出するためのウインドウ信号を生成し、同期信号パターンを検出した後、フェーズロックトループ（Ｐｈａｓｅ  Ｌｏｃｋｅｄ  Ｌｏｏｐ：ＰＬＬ）回路でセル中心に同期した同期信号を生成する。
その後、生成された同期信号により再生信号をサンプリングし、ＥＱ回路により波形等化を行った後、同期信号パターンの中心の多値データを読み取る。
その値によってその１行分のデータが、図２０に示したデータブロックにおける３行のセクタデータのどの行か、或いはＰＯデータ行であるかを検出することができる。
【００６２】
ここでは、上記参考例においてアドレス検出用データを挿入していた１シンボル分の領域をセクタマークに割り当てているが、データ領域として割り当てることも可能である。
セクタマークとして割り当てた場合には、セクタマークの多値データ数を増やすことができるので、セクタマークからの信号をより安定させることができる。
データ領域として割り当てる場合には、ユーザデータ領域を増加させることが可能である。その場合には、図２０に示したデータブロックやそのセクタブロックの構成を変更する必要がある。
【００６３】
このように、同期信号パターンが振幅変調により符号化されていることにより、同期信号パターンにセクタ単位のアドレスデータ（セクタアドレス）を検出するためのアドレス情報を格納することができる。
これにより、冗長度を抑えたデータ構成で、セクタ内での位置を特定することができ、セクタアドレスの読み取り処理を容易に行うことができる。
また、ここでは多値記録を８値で行った場合について示しているが、実施例１２で示したセクタ内のアドレス情報は、レベル１、レベル３、レベル５、レベル７の４値を使用した４値記録であるため、読み取り時の誤り確率が低くでき、付加情報検出の信頼性を高くすることができる。
【００６４】
さらに、上記同期信号パターンにおける付加情報が格納された振幅変調部の多値データに、少なくとも１値以上飛ばした値が選択されているため、読み取り時の誤り確率を更に低くでき、付加情報検出の信頼性を高くすることができる。
また、上記のようなセクタアドレスを検出するためのアドレス情報だけでなく、ディスク上の絶対的なアドレス情報を格納することも可能である。その場合、後述するように、同期信号パターンに格納された３ビット（８値記録の場合）の情報を取り出し、それを順次配列して１バイトずつの区切りとし、Ｍバイトのデータ領域にアドレス情報を格納する（Ｍは１以上の整数）（図２４参照）。
【００６５】
なお、ここでは、１フレーム内の同期信号パターンは全て同じパターンであるとしており、図２３に示すように、再生信号におけるボトム位置における多値レベルをレベル１、レベル３、レベル５、レベル７というように振幅変調の符号化を行っている。
しかし、セクタデータのどの行、或いはＰＯ行かを識別できれば、特に同じパターンである必要はない。
例えば、図２２に示したデータ構成において、セクタマークの直前の同期信号パターンのみを上記のような４種類のパターンのいずれかのパターンとし、その他の１８個のパターンは全て上記参考例と同じ“００７００”とする。
セクタマークの直前のパターンを上記に示した方法で読み取ることにより、そのフレームがセクタデータのどの行、或いはＰＯ行であるかを判別することができる。
【００６６】
また、同期信号パターンのボトム位置における多値データは、多値レベルとしてとりうる値であればよく、実施例中で用いた以外の多値レベルを採用しても構わない。
さらに、この実施例１２では、再生信号におけるボトム位置以外の多値レベルをレベル０としているが、他の多値レベル、例えばレベル４やレベル７を用いた“４４ｘ４４”、“７７ｘ７７”といったパターンでも構わない。
その場合、同期信号パターンに対応する再生信号は、同期信号パターンの中心であるレベルｘにおいてボトムを有する波形だけではなく、ピークを有する波形となることもあるが、同様の効果が得られる。
今後、このような同期信号パターン、つまり、「対応する再生信号におけるピークまたはボトムを１つだけ特定できるようなパターン」をパターンＩと呼ぶことにする。
【００６７】
〔実施例１３〕
図２５は、この発明の実施例１３におけるデータ構成の一例を示す図であり、図２０に示したデータブロック（５３０ワード×２０８行）を多値データに変換し、情報記録媒体に記録するときのデータ構成を示す図である。これは、図２２に示した実施例１２の同期信号パターンを、４シンボルで構成したものである。
図２６は、図２５に示した同期信号パターン（ＣＭ）の多値データ列とその再生信号及び波形等化後の信号波形を示した図である。変調後の多値データに対して以下のセクタマークと同期信号パターンを挿入して記録する。
【００６８】
セクタマーク＝“００００７７７７”
同期信号パターン＝“ｘｘｙｙ”
ｘ＝０，ｙ＝７（パターンＡ）：セクタデータの１行目（セクタアドレスあり）
ｘ＝２，ｙ＝５（パターンＢ）：セクタデータの２行目
ｘ＝５，ｙ＝２（パターンＣ）：セクタデータの３行目
ｘ＝７，ｙ＝０（パターンＤ）：ＰＯデータ行
【００６９】
実施例１２と同様に、上記参考例のようなアドレス検出用データは挿入せず、その情報を同期信号パターンに格納している。
この実施例１３では、多値レベルとしてとりうる最大値（レベル０）と最小値（レベル７）の中心の値（レベル３．５）を基準レベルとし、その基準レベルに対して対称となるように前後２セルずつ連続した多値データを配列した同期信号パターンとしている。
図２５に示したデータ構成における同期信号パターンは、１フレーム（１行分のデータ）の中では全て同じパターンとしており、検出したその１行分のデータが３行のセクタデータのどの行か、或いはＰＯデータ行であるかを検出するためのパターンである。
【００７０】
情報記録媒体中のデータをアクセスするときは、実施例１２と同様に、まず、セクタマークを検出し、１行（１フレーム）分のデータの区切りを検出する。検出したセクタマークから同期信号パターンを検出するためのウインドウ信号を生成し、同期信号パターンを検出した後、ＰＬＬ回路でセル中心に同期した同期信号を生成する。
その後、生成された同期信号により再生信号をサンプリングし、ＥＱ回路により波形等化を行った後、同期信号パターンにおけるいずれかの多値データを読み取る。その値によって、その１行分のデータが、図２０に示したデータブロックにおける３行のセクタデータのどの行か、或いはＰＯデータ行であるかを検出することができる。
【００７１】
なお、実施例１２と同様に、上記参考例においてアドレス検出用データを挿入していた１シンボル分の領域を、セクタマーク、或いはデータ領域として割り当てることが可能である。データ領域として割り当てる場合には、実施例１２と同様に、図２０に示したデータブロックやそのセクタブロックを変更する必要がある。
また、同期信号パターンのシンボル数の減少分である、１シンボル×１９クラスタ＝１９シンボル分のデータ領域は、図２０に示したデータブロックに関わらないデータ領域であるので、直接的な冗長度減少となる。よって、以下の数１に示す効率増加の値となる。
【００７２】
（数１）
（１９シンボル）／（１１７シンボル×１９クラスタ）≒０．８５％
【００７３】
このように、同期信号パターンに振幅変調の符号化をすることにより、同期信号パターンにセクタ単位のアドレスデータ（セクタアドレス）を検出するためのアドレス情報を格納することができる。
また、同期信号パターンを構成する多値データ列のシンボル数を減らすことにより、直接的な冗長度を減らすことができる。
これにより、冗長度を抑えたデータ構成で、セクタ内での位置を特定することができ、セクタアドレスの読み取り処理を容易に行うことができる。
また、ここでは多値記録を８値で行った場合について示したが、同期信号パターンを構成する多値数は上記のようにレベル０、レベル２、レベル５、レベル７の４値を使用した４値記録であるため、読み取り時の誤り確率が低くでき、付加情報検出の信頼性を高くすることができる。
【００７４】
また、上記同期信号パターンにおける付加情報が格納された振幅変調部の多値データに、少なくとも１値以上飛ばした値が選択されているため、読み取り時の誤り確率を更に低くでき、付加情報検出の信頼性を高くすることができる。
また、上記のようなセクタアドレスを検出するためのアドレス情報だけでなく、ディスク上のアドレス情報や、ディスクにおける何層目の記録層にアクセスしているのかなどといった記録層情報等の絶対的な位置情報を挿入しても良い。
その場合、後述するように、同期信号パターンに格納された３ビット（８値記録の場合）の情報を取り出し、順次配列して１バイトずつの区切りとし、Ｍバイトのデータ領域にアドレス情報を格納する（Ｍは１以上の整数）（図２４参照）。
【００７５】
なお、ここでは、１フレーム内の同期信号パターンは全て同じパターンとしているが、セクタデータのどの行、或いはＰＯ行かを識別できれば、異なったパターンでも構わない。
例えば、図２５に示したデータ構成において、セクタマークの直前の同期信号パターンのみを上記のような４種類のパターンのいずれかのパターンとし、その他の１８個のパターンは全て“７７００”とする。
セクタマークの直前のパターンを上記のような方法で読み取ることにより、そのフレームがセクタデータのどの行、或いはＰＯ行であるかを判別することができる。
ただし、基準レベルは多値レベルとして取りうる最大値（レベル０）と最小値（レベル７）の中心のレベル（レベル３．５）であるのが望ましい。
【００７６】
基準レベルが上記中心レベルである場合には、後述するが、セクタマークをローパスフィルタ（ＬＰＦ）に通して得られるスライスレベルが上記中心レベルと同レベルとなるため、そのスライスレベルで２値化することが可能である。
しかし、基準レベルが上記中心レベルと異なる場合には、上記のスライスレベルと基準レベルが異なるため、そのままでは２値化することができない。再生信号を２回微分することにより解決できるが、回路が複雑化するという問題がある。
また、基準レベルを上記中心レベルとした場合には、最も多くの同期信号パターンを構成することができるため、格納する情報量を大きくすることができ、冗長度減少の効果も大きい。
【００７７】
また、実施例１２と同様に、同期信号パターンを構成する多値レベルは、多値レベルとしてとりうる値であればよく、実施例で用いた以外の多値レベルを採用しても構わない。
今後、このような同期信号パターン、つまり「対応する再生信号における信号レベルが所定レベルよりも高い記録マークの少なくとも２個以上の連続と、信号レベルが所定レベルよりも低い記録マークの少なくとも２個以上の連続とを含んでいるようなパターン」をパターンIIと呼ぶことにする。
ここで、所定レベルは、多値レベルが取りうる最大値と最小値との間の任意の値とするのが良い。また、基準レベルは、２つの信号レベルの中心の値とするのが良い。
【００７８】
〔実施例１４〕
図２７は、この発明の実施例１４におけるデータ構成の一例を示す図であり、図２０に示したデータブロック（５３０ワード×２０８行）を多値データに変換し、情報記録媒体に記録するときのデータ構成を示す図である。
なお、実施例１２及び実施例１３で示したセクタアドレスを検出するためのアドレス情報については省略した。
図２８は、実施例１４における同期信号パターンの多値データ列とその再生信号及び波形等化後の信号波形を示した図である。
実施例１４では、図２７に示したデータブロックにおけるＣＭ（同期信号パターン）は１フレームの中でも異なるパターンがあり、パターン１〜ＮのＮ個のパターンをもつ。ここで、Ｎは２以上の整数である。
８値記録の場合、例えば、同期信号パターンを図２８に示すようなパターンＡ〜Ｈとすると、最大でＮ＝８種類のパターンが存在する。今後、この８種類のパターンで説明する。
【００７９】
情報記録媒体中のデータをアクセスするときは、実施例１２及び実施例１３と同様に、まず、セクタマークを検出し、１行（１フレーム）分のデータの区切りを検出する。
検出したセクタマークから同期信号パターンを検出するためのウインドウ信号を生成し、同期信号パターンを検出した後、ＰＬＬ回路でセル中心に同期した同期信号を生成する。
その後、生成された同期信号により再生信号をサンプリングし、ＥＱ回路により波形等化を行った後、同期信号パターンにおけるいずれかの多値データを読み取る。その値を取り出し、配置したのが図２４に示す情報となる。
【００８０】
この場合、８種類の同期信号パターンを用いたため、同期信号パターン１個に対して８値（３ビット）の情報となる。それを順次、縦方向に配列し、１バイトずつの区切りとする。バイト１〜Ｍの情報は、ここでは、再生特性を補正するための情報、例えば、ドライブ情報や光学パラメータ、ＥＱ補正係数などを格納する。それらの情報はシステムコントローラに取り込まれた後、ＥＱ回路へＥＱ補正データとして送られ、ユーザデータ等の記録情報の補正に使用される。
なお、ＥＱ補正データが送られる前のＥＱ係数は、多値情報記録再生装置がもっていた標準的な固定ＥＱ係数である。
それをもとに同期信号パターンを含む信号を波形等化し、同期信号パターンに格納されたＥＱ補正係数等の付加情報を読み取る。その後、その読み取ったＥＱ補正係数等により、記録情報を復調する際に再生信号を補正することができる。
【００８１】
このように、同期信号パターンに振幅変調の符号化をすることにより、同期信号パターンに、ドライブ情報や光学パラメータ、ＥＱ補正係数等の再生特性を補正する情報を格納することができる。
それにより、ＥＱ補正係数等のフィルタの周波数特性を変更し、記録情報の補正を精度良く行うことができ、且つ、従来この情報を挿入していた領域の冗長度を減らすことができる。
【００８２】
また、同期信号パターンを構成する多値データ列のシンボル数を減らすことにより、直接的な冗長度を減らすことができる。
また、同期信号パターンを４種類とした場合には、４値記録が実現できるため、読み取り時の誤り確率が低くでき、格納された付加情報検出の信頼性を高くすることができる。
しかしその場合、同期信号パターンに格納できる情報量は８値記録に比べ半分となる。
また、上記同期信号パターンにおける付加情報が格納された振幅変調部の多値データに、少なくとも１値以上飛ばした値が選択されている場合、読み取り時の誤り確率を更に低くでき、格納された付加情報検出の信頼性を高くすることができる。
【００８３】
〔実施例１５〕
実施例１５は実施例１４と同様のデータ構成で実現できる。この場合、バイト１〜Ｍの情報は、ここでは、コピープロテクション情報を格納する。その情報はシステムコントローラに取り込まれた後、書き換え回数や著作権情報の有無といった情報をもとに再生制御信号を生成し、復調回路に送られる。その情報により、記録データを再生するか、しないかの判断をする。
【００８４】
以上のように、同期信号パターンを振幅変調の符号化をすることにより、コピープロテクション情報を格納することができる。
それにより、再生制御信号を生成し、記録情報の再生を判断することができるようになり、且つ従来この情報を挿入していた領域の冗長度を減らすことができる。
また、実施例１４と同様に、同期信号パターンを４種類とした４値記録の場合、読み取り時の誤り確率が低くでき、格納された付加情報検出の信頼性を高くすることができる。
しかし、その場合、同期信号パターンに格納できる情報量は８値記録に比べ半分となる。また、上記同期信号パターンにおける付加情報が格納された振幅変調部の多値データに、少なくとも１値以上飛ばした値が選択されている場合、読み取り時の誤り確率を更に低くでき、格納された付加情報検出の信頼性を高くすることができる。
【００８５】
次に、本発明における多値情報記録装置及び再生装置の動作について説明する。
＜多値情報記録装置及び再生装置の動作＞
図２９は、本発明における多値情報記録再生装置の構成例を示すブロック図である。
なお、ここでは情報記録媒体として光ディスクを例にしているが、本発明では媒体の記録方式にはよらない。
すなわち、光磁気型、再生専用型、追記型、書き換え型の媒体において同様の効果が得られる。また、図２９には、説明に必要な最低限の構成を示している。
さらに、図２９は、図２、図１９で説明した機能を含んでいる。すなわち、図２における情報データ生成器５と多値データ変換器４の機能は、図２９のシステムコントローラが有しており、同様に図２におけるＬＤ駆動信号生成器３の機能は、図２９におけるレーザ駆動回路と変調回路が有している。
【００８６】
また、図２における同期部検出回路１０とサンプリング信号生成回路１１は、図２９の同期信号生成回路と等価であり、図１０、図１７で説明したものである。
さらに、図２における量子化ＡＤ変換器８は、図２９ではＡＤ変換回路と称している。
また、図２のフォトディテクタ６、ＡＧＣ制御回路７、多値信号メモリ９は、図２９では省略している。さらに、図１９における同期信号検出回路４０、ＡＤＣ４１は、図２９では同期信号生成回路６３、ＡＤ変換回路とそれぞれ称している。
【００８７】
（iii）記録時の動作
iii−１：同期信号付加回路５５において、システムコントローラからの多値化されたユーザ情報にセクタマーク（ＳＭ）、同期信号パターン（ＣＭ）をフレーム毎（図２０に示したデータブロックの１行）に挿入する。その結果が、図２１、図２２、図２５、図２７に示すデータ構成となる。
iii−２：多値データの各値に対応した記録マークを光ディスク５０に記録するため、変調回路５４でレーザを駆動する信号を生成する。
iii−３：iii−２で変換された多値データに対応した記録マークを形成するための記録パルスをレーザ駆動回路５３によってピックアップヘッド５２のＬＤから発生させる。
iii−４：ピックアップヘッド５２により、光ディスク５０の記録面に集光ビームを照射させ、記録マークが記録される。
【００８８】
（iv）再生時の動作
iv−１：回転する光ディスク５０の記録面に、ピックアップヘッド５２により集光ビームを照射し、反射した戻り光を光電変換する。
iv−２：電気信号に変換された信号を演算増幅回路５８に入力し、サーボ回路５７により光ディスク５０を安定に回転させ、ピックアップヘッド５２のトラッキングやフォーカス制御を行い、多値信号を再生する。
iv−３：再生信号を、上述の同期信号生成工程により生成した同期信号によって、アナログ・ディジタル（ＡＤ）変換回路５９において量子化する。
iv−４：iv−３で得られたディジタル信号を、ＥＱ回路６０にて波形等化（符号間干渉により減衰された高周波信号の補正）する。
【００８９】
iv−５：多値判定回路６１にて判定された多値情報は、復調回路６２にてユーザ情報に復調され、また同期信号パターン（ＣＭ）情報検出回路６４にて同期信号パターンに格納された付加情報を検出する。
iv−６：iv−５にて検出された付加情報をシステムコントローラ５６へ入力し、同期信号パターンに格納された情報が、イ）アドレス情報のときには、位置情報信号を復調回路６２に送り、ユーザデータを復調する際の位置情報として用いられる。ロ）再生特性補正情報のときは、ＥＱ回路６０にＥＱ補正係数等のフィルタ特性補正データを送り、ユーザデータ等の記録情報を復調する際の再生特性の補正に用いられる。ハ）コピーコントロール情報のときは、再生制御信号を生成し、復調回路６２に送り、記録情報の再生可否を判断する。
【００９０】
本発明における多値情報記録再生装置では、同期信号パターンに振幅変調の符号化をすることにより、セクタ内のアドレス情報を格納することができ、冗長度を抑えたデータ構成においてセクタアドレスの読み取り処理を容易に行うことができ、また、ディスク上の絶対的なアドレス情報を格納することにより、冗長度を抑えたデータ構成で記録情報の位置を特定することができる。
また、同期信号パターンに再生特性を補正する情報を格納することにより、ＥＱ係数等のフィルタの周波数特性を補正し、ユーザデータ等の記録情報の補正を精度良く行うことができる。
さらに、従来では冗長データとなっていたデータ領域を、ユーザデータ領域として使用できる等、ユーザデータ領域減少を抑えることができる。
【００９１】
また、同期信号パターンを振幅変調の符号化をすることにより、コピープロテクション情報を格納することができる。それにより、再生制御信号を生成し、記録情報の再生を判断することができるようになり、且つ、従来この情報を挿入していた領域の冗長度を減らすことができる。
さらに、図２３及び図２６に示すように、多値記録を４値記録とすることにより、読み取り時の誤り確率が低くでき、同期信号パターンに格納された付加情報検出の信頼性を高くすることができる。
また、上記同期信号パターンにおける付加情報が格納された振幅変調部の多値データに、少なくとも１値以上飛ばした値が選択されている場合、読み取り時の誤り確率を更に低くでき、格納された付加情報検出の信頼性を高くすることができる。
【００９２】
次に、上記実施例１２〜１５の多値情報記録再生装置における効果を列挙する。
（１）振幅変調により符号化された同期信号パターンに、付加情報としてセクタ内のアドレス情報を格納することにより、記録情報の位置を特定することができ、冗長度が低いデータ構成で、セクタアドレスの検出を容易に行うことができる。また、情報記録媒体上のアドレス情報を格納することにより、冗長度が低いデータ構成で記録情報の位置を特定することができ、ユーザデータ領域の冗長度を抑えた情報再生を実現できる。
【００９３】
（２）振幅変調により符号化された同期信号パターンに、付加情報として記録ドライブ情報、光学パラメータ、ＥＱ補正係数等の再生特性を補正するための情報を格納することにより、記録情報を復調する工程におけるフィルタの周波数特性を変更し、記録情報を精度良く再生することができ、記録情報の補正を精度良く行うことができ、且つ、従来これらの情報を挿入していたデータ領域の冗長度を抑えることができる。
（３）振幅変調により符号化された同期信号パターンに、付加情報としてコピープロテクション情報を格納することにより、書き換え回数や著作権情報などの情報を得て、それをもとに再生制御することができる。また、従来においてこの情報を挿入していたデータ領域の冗長度を抑えることができる。
【００９４】
（４）更に同期信号パターンの多値数をユーザデータの多値数よりも少なくすることにより、読み取り時の誤り確率を低くでき、付加情報検出の信頼性を高くすることができる。
（５）同期信号パターンの多値数をユーザデータの多値数よりも少なくし、且つ付加情報が格納された振幅変調部の多値データに、少なくとも１値以上飛ばした値を選択することにより、読み取り時の誤り確率を更に低くすることができ、上記格納された付加情報検出の信頼性を高くすることができる。
（６）振幅変調により符号化された同期信号パターンに、付加情報としてセクタ内のアドレス情報を格納することにより、冗長度が低いデータ構成で、セクタアドレスの検出を容易に行うことができる。また、情報記録媒体上の絶対的なアドレス情報を格納することにより、冗長度が低いデータ構成で記録情報の位置を特定することができる。
【産業上の利用可能性】
【００９５】
この発明による情報記録媒体は、追記型の光ディスク，書き換え型の光ディスク，相変化型の光ディスク，光磁気型ディスク，再生専用型の光ディスクなどの情報記録媒体に適用することができる。また、この発明による同期信号生成方法，情報再生方法，情報再生装置，情報記録方法，情報記録装置は、デスクトップパソコン，ノートブックパソコン等のパーソナルコンピュータにおいても適用することができる。
【図面の簡単な説明】
【００９６】
【図１】多値再生信号の波形の例とセルと称する記録マークを形成する領域の概念図を示す図である。
【図２】多値記録再生装置の構成例を示す図である。
【図３】この発明の実施例１の説明に供するデータセクタの構成例を示す図である。
【図４】この発明の実施例１の同期信号パターンの挿入箇所の構成例を示す図である。
【図５】この発明の実施例２における同期信号パターンに対応する多値情報，再生信号波形及び波形等化後の信号の例を示す図である。
【００９７】
【図６】この発明の実施例２における同期信号パターンに対応する多値情報「００４７４００」における再生信号波形及び波形等化後の信号の例を示す図である。
【図７】この発明の実施例２における同期信号パターンの記録マークの形状とその各記録マークの波形等化後の信号の例を示す図である。
【図８】この発明の実施例３における同期信号パターンに対応する多値情報，再生信号波形及び波形等化後の信号の例を示す図である。
【図９】この発明の実施例４における同期信号パターンに対応する多値情報，再生信号波形及び波形等化後の信号の例を示す図である。
【図１０】ピークまたはボトム位置検出による同期信号生成回路の構成例を示すブロック図である。
【００９８】
【図１１】図１０に示す同期信号生成回路による同期信号生成例を示す波形図である。
【図１２】この発明の実施例６における同期信号パターンに対応する多値情報，再生信号波形及び波形等化後の信号の例を示す図である。
【図１３】この発明の実施例６における同期信号パターンに対応する多値情報「７７６１００」における再生信号波形及び波形等化後の信号の例を示す図である。
【図１４】この発明の実施例６における同期信号パターンの記録マークの形状とその各記録マークの波形等化後の信号の例を示す図である。
【図１５】この発明の実施例７における同期信号パターンに対応する多値情報，再生信号波形及び波形等化後の信号の例を示す図である。
【００９９】
【図１６】この発明の実施例８における同期信号パターンに対応する多値情報，再生信号波形及び波形等化後の信号の例を示す図である。
【図１７】或る特定の基準レベルを横切るタイミング位置検出による同期信号生成回路の構成例を示すブロック図である。
【図１８】図１７に示す同期信号生成回路による同期信号生成例を示す波形図である。
【図１９】この発明の実施例の情報再生装置の構成を示すブロック図である。
【０１００】
【図２０】この発明の実施例１２〜実施例１５におけるデータブロックの一例を示す図である。
【図２１】図２０に示すデータブロックを多値データに変換して情報記録媒体に記録するときのデータ構成を示す参考例を示す図である。
【図２２】この発明の実施例１２におけるデータ構成の一例を示す図である。
【図２３】この発明の実施例１２における同期信号パターンの多値データ列とその再生信号及び波形等化後の信号波形を示す図である。
【図２４】同期信号パターン（ＣＭ）から抽出した情報のフォーマットを示す図である。
【０１０１】
【図２５】この発明の実施例１３におけるデータ構成の一例を示す図である。
【図２６】図２５に示す同期信号パターン（ＣＭ）の多値データ列とその再生信号及び波形等化後の信号波形を示す図である。
【図２７】この発明の実施例１４におけるデータ構成の一例を示す図である。
【図２８】この発明の実施例１４における同期信号パターンの多値データ列とその再生信号及び波形等化後の信号波形を示す図である。
【図２９】本発明における多値情報記録再生装置の構成例を示すブロック図である。
【符号の説明】
【０１０２】
１：光情報記録媒体    ２，５２：ピックアップヘッド    ３：ＬＤ駆動信号生成器    ４：多値データ変換器    ５：情報データ生成器    ６：フォトディテクタ    ７：ＡＧＣ制御回路    ８：量子化ＡＤ変換器    ９：多値信号メモリ    １０：同期部検出回路    １１：サンプリング信号生成回路    ２０：データセクタ    ２１：同期信号パターン    ２２：セクタマーク    ２３：アドレス情報部    ２４：アドレス情報のエラー訂正部    ２５：ユーザデータ領域    ３０，３１：ＬＰＦ    ３２，３６：２値化回路    ３３：ＳＭ検出器    ３４：ウインドウ信号生成器    ３５：微分回路    ３７：ＰＬＬ回路    ４０：同期信号検出回路    ４１：ＡＤＣ    ４２，６０：ＥＱ回路    ４３，６２：復調回路    ５０：光ディスク    ５１：モータ    ５３：レーザ駆動回路    ５４：変調回路    ５５：同期信号付加回路    ５６：システムコントローラ    ５７：サーボ回路    ５８：演算増幅回路    ５９：ＡＤ変換回路    ６１：多値判定回路    ６３：同期信号生成回路    ６４：ＣＭ情報検出回路
【図１】
2005302260.tif 000003
【図２】
2005302260.tif 000004
【図３】
2005302260.tif 000005
【図４】
2005302260.tif 000006
【図５】
2005302260.tif 000007
【図６】
2005302260.tif 000008
【図７】
2005302260.tif 000009
【図８】
2005302260.tif 000010
【図９】
2005302260.tif 000011
【図１０】
2005302260.tif 000012
【図１１】
2005302260.tif 000013
【図１２】
2005302260.tif 000014
【図１３】
2005302260.tif 000015
【図１４】
2005302260.tif 000016
【図１５】
2005302260.tif 000017
【図１６】
2005302260.tif 000018
【図１７】
2005302260.tif 000019
【図１８】
2005302260.tif 000020
【図１９】
2005302260.tif 000021
【図２０】
2005302260.tif 000022
【図２１】
2005302260.tif 000023
【図２２】
2005302260.tif 000024
【図２３】
2005302260.tif 000025
【図２４】
2005302260.tif 000026
【図２５】
2005302260.tif 000027
【図２６】
2005302260.tif 000028
【図２７】
2005302260.tif 000029
【図２８】
2005302260.tif 000030
【図２９】
2005302260.tif 000031